(57)【要約】【課題】生体情報測定装置の使い勝手を向上させることを目的とする。【解決手段】生体情報測定装置１は、人体に装着されるトランスミッタ３を備えている。トランスミッタ３は、生体情報の測定を行う測定部９と、測定部９に接続された制御部１０と、制御部１０に接続され携帯電話８と通信を行う通信部１１と、制御部１０に電力を供給する電池１３と、トランスミッタ３が未使用であることを示す新品情報が保存された記憶部１８と、を有している。制御部１０は、電池１３により電力供給が開始された後に携帯電話８と相互認証を行い、相互認証では携帯電話８に接続要求を送信すると共にトランスミッタ３の新品情報を送信する。【選択図】図４
2020036814.tif 000002
【特許請求の範囲】
【請求項１】
人体に装着されるトランスミッタを備え、
前記トランスミッタは、
生体情報の測定を行う測定部と、
前記測定部に接続された第１の制御部と、
前記第１の制御部に接続され、外部機器と通信を行う第１の通信部と、
前記第１の制御部に電力を供給する電源部と、
前記トランスミッタが未使用であることを示す新品情報が保存された記憶部と、
を有し、
前記第１の制御部は、前記電源部により電力供給が開始された後に前記外部機器と相互認証を行い、前記相互認証では前記外部機器に接続要求を送信すると共に前記新品情報を送信する、
生体情報測定装置。
【請求項２】
前記第１の制御部は、前記相互認証が成功した後に、前記新品情報を前記記憶部から削除する、
請求項１に記載の生体情報測定装置。
【請求項３】
前記記憶部には、前記トランスミッタの識別情報が記憶されており、
前記識別情報に前記新品情報が記録されている、
請求項１または２に記載の生体情報測定装置。
【請求項４】
請求項１から３のいずれか１つに記載の生体情報測定装置と、
前記生体情報測定装置と交信する前記外部機器と、を備え、
前記外部機器は、
前記トランスミッタの前記第１の通信部と通信する第２の通信部と、
前記第２の通信部に接続された第２の制御部と、
前記第２の制御部に接続された表示部と、を有する、
生体情報測定システム。
【請求項５】
前記第２の制御部は、前記トランスミッタからの通信内容を解析するデバイス情報解析部を有し、
前記デバイス情報解析部は、前記第２の通信部を介して前記トランスミッタの前記新品情報を受け取ると共に、前記新品情報により前記トランスミッタが未使用であるか否かを判定する、
請求項４に記載の生体情報測定システム。
【請求項６】
前記第２の制御部は、前記デバイス情報解析部が前記トランスミッタを未使用と判定した時に、前記トランスミッタと前記相互認証を行う、
請求項５に記載の生体情報測定システム。
【請求項７】
前記第２の制御部は、前記相互認証が成功した時に、前記トランスミッタと接続した旨を前記表示部に表示する、
請求項６に記載の生体情報測定システム。
【請求項８】
前記第２の制御部は、前記第２の通信部が受信した電波の電波強度を判定する電波強度判定部を有する、
請求項４から７のいずれか１つに記載の生体情報測定システム。
【請求項９】
前記電波強度判定部は、受信した電波の電波強度が第１の基準値よりも大きいか否かを判定する、
請求項８に記載の生体情報測定システム。
【請求項１０】
前記電波強度判定部は、受信した電波の電波強度の変化量が第２の基準値よりも大きいか否かを判定する、
請求項８または９に記載の生体情報測定システム。
【請求項１１】
前記電波強度判定部は、受信した複数の電波の電波強度から、電波強度の最大値が最も大きい電波を判定する、
請求項８から１０のいずれか１つに記載の生体情報測定システム。
【発明の詳細な説明】
【技術分野】
【０００１】
本発明は、例えば、持続血糖測定を行う生体情報測定装置およびこれを備えた生体情報測定システムに関するものである。
【背景技術】
【０００２】
従来の生体情報測定装置の構成は、以下のようになっていた。
すなわち、生体情報測定装置は、人体に装着されるトランスミッタを備えている。トランスミッタは、生体情報の測定を行う測定部と、測定部に接続された制御部と、制御部に接続され外部機器と通信を行う通信部と、制御部に電力を供給する電源部とを有している。そして、制御部は、電源部により電力供給が開始された後に外部機器と相互認証（ペアリング）を行う構成となっていた（例えば、下記特許文献１）。
【０００３】
このため、使用者が、未使用のトランスミッタを人体に装着すると、未使用のトランスミッタの制御部は、携帯電話（外部機器の一例）と相互認証を行い、この相互認証が成功すると、トランスミッタと携帯電話は１対１の通信が行われる。
【先行技術文献】
【特許文献】
【０００４】
【特許文献１】特表２０１３−５２３２１７号公報
【発明の概要】
【発明が解決しようとする課題】
【０００５】
上記従来例における課題は、生体情報測定装置の使い勝手が悪いことであった。
すなわち、未使用のトランスミッタは、相互認証のため、携帯電話に接続要求を送信する。携帯電話では、トランスミッタの接続要求を受信するが、この時、他の機器（例えば、キーボード、マウス、ヘッドホン）からの接続要求も受信することがある。この場合、携帯電話は、受信した接続要求に対応する機器を一覧表示して、使用者に未使用のトランスミッタを選択させる。
【０００６】
しかしながら、多くの機器が表示されると、この中から、使用者が未使用のトランスミッタを選択するのは難しく、結果として、生体情報測定装置の使い勝手が悪かった。
そこで本発明は、生体情報測定装置の使い勝手を向上させることを目的とする。
【課題を解決するための手段】
【０００７】
この目的を達成するために、本発明の生体情報測定装置は、人体に装着されるトランスミッタを備えている。トランスミッタは、生体情報の測定を行う測定部と、測定部に接続された第１の制御部と、第１の制御部に接続され外部機器と通信を行う第１の通信部と、第１の制御部に電力を供給する電源部と、トランスミッタが未使用であることを示す新品情報が保存された記憶部と、を有している。第１の制御部は、電源部により電力供給が開始された後に外部機器と相互認証を行い、相互認証では外部機器に接続要求を送信すると共に新品情報を送信する。
【０００８】
この構成により、所期の目的を達成する。
【発明の効果】
【０００９】
本発明によれば、未使用のトランスミッタは、相互認証時には、携帯電話（外部機器の一例）に接続要求を送信すると共に、新品情報を送信する。
携帯電話は、受け取った新品情報により、多数の機器の中から未使用のトランスミッタを選択する。
すなわち、携帯電話が未使用のトランスミッタを選択できるので、使用者による選択動作が不要になり、生体情報測定装置の使い勝手を向上させることができる。
【図面の簡単な説明】
【００１０】
【図１】本発明の実施の形態１係る生体情報測定装置の使用状態を示す斜視図。
【図２】図１の生体情報測定装置の斜視図。
【図３】図１の生体情報測定装置の正面図。
【図４】図１のトランスミッタの制御ブロック図。
【図５】図１の携帯電話の制御ブロック図。
【図６】図１のトランスミッタと携帯電話の制御フローチャート。
【図７】従来の携帯電話における表示を示す図
【図８】図１の携帯電話における表示部の表示を示す図。
【図９】図１の携帯電話における表示部の表示を示す図。
【図１０】図１の携帯電話における表示部の表示を示す図。
【図１１】図１の携帯電話における表示部の表示を示す図。
【図１２】図１のトランスミッタと携帯電話の制御フローチャート。
【図１３】図１のトランスミッタと携帯電話の制御フローチャート。
【図１４】図１の携帯電話における表示部の表示を示す図。
【図１５】図１の携帯電話における表示部の表示を示す図。
【図１６】図１の携帯電話における表示部の表示を示す図。
【図１７】図１の携帯電話における表示部の表示を示す図。
【図１８】図１の携帯電話における表示部の表示を示す図。
【図１９】図１の携帯電話における表示部の表示を示す図。
【図２０】図１の携帯電話における表示部の表示を示す図。
【発明を実施するための形態】
【００１１】
以下に、本発明の一実施形態を、図面とともに詳細に説明する。
（実施の形態１）
図１および図２は、生体情報測定装置１の構成を示す図である。
生体情報測定装置１は、人体に装着されるベースユニット２と、ベースユニット２に装着されるトランスミッタ３（生体情報を測定する測定器の一例）とを備えている。ベースユニット２は、センサユニット４を有している。トランスミッタ３は、薄板状の形状を有している。
【００１２】
そして、図１に示すように、ベースユニット２は、センサ挿入装置５によって人体６の一部（例えば、上腕部）に装着される。
トランスミッタ３は、人体６に装着されたベースユニット２の上面に装着される。
図３は、人体６にベースユニット２が装着され、このベースユニット２にトランスミッタ３が装着された状態を示している。
【００１３】
トランスミッタ３は、ほぼ全ての側面がベースユニット２に内包されている。つまり、トランスミッタ３は、一旦、ベースユニット２に装着されると、ベースユニット２から容易に取り外せないように構成されている。
ベースユニット２の下方では、センサユニット４のセンサ７が人体６内に留置されている。センサ７は、人体６の生体情報を測定し、その測定値をトランスミッタ３の通信機能を用いて、例えば、携帯電話８（外部機器の一例）に伝送する。
【００１４】
本実施形態においては、生体情報測定装置１と携帯電話８とにより、生体情報測定システム１Ａを構成している。
本実施形態の生体情報測定装置１は、生体情報として持続血糖測定を行う装置であって、例えば、２週間継続して１分毎に血糖値を測定する。これにより、例えば、血糖値のコントロールが必要な患者の血糖状態の傾向や寝ている時の血糖状態を把握することができる。
【００１５】
図４は、トランスミッタ３の制御ブロック図を示している。
トランスミッタ３内では、測定部９が、センサユニット４と制御部（第１の制御部）１０とに、電気的に接続されている。制御部１０には、携帯電話８と通信する通信部（第１の通信部）１１、および時計１２が電気的に接続されている。
さらに、制御部１０には、電池１３（電源部の一例）が電気的に接続されている。そして、制御部１０と電池１３との間には、その通電回路上に、電源スイッチ１４、電源スイッチ１５が設けられている。
【００１６】
電源スイッチ１５には、スイッチ操作回路１６が接続されている。スイッチ操作回路１６は、制御部１０に接続されており、電源スイッチ１４と電源スイッチ１５との間にも接続されている。
電源スイッチ１４は、短絡されることでスイッチオンの状態となる。そして、電源スイッチ１４を短絡させるために、ベースユニット２は、通電性の操作板１７（操作部の一例で、図２参照）を有している。
【００１７】
電源スイッチ１５は、制御部１０に操作されたスイッチ操作回路１６によって操作される。
なお、電源スイッチ１４および電源スイッチ１５の動作については後述する。
制御部１０には、記憶部（第１の記憶部）１８が接続されている。
記憶部１８は、制御部１０の制御ソフトウェア、測定部９の測定値などを記憶する。
【００１８】
また、電池１３は、制御部１０、および制御部１０に接続された各部（測定部９、通信部１１、時計１２等）に電力を供給する。
図５は、携帯電話８の制御ブロック図を示している。
携帯電話８の上面には、表示部１９が設けられている（図４参照）。
表示部１９は、携帯電話８内の制御部２０に電気的に接続されている。
【００１９】
制御部２０には、トランスミッタ３側の通信部１１と通信する通信部（第２の通信部）２１、時計２２、記憶部（第２の記憶部）２３、電池２４が電気的に接続されている。
記憶部２３には、制御部２０の制御ソフトウェア、通信部２１を介して受け取った測定値などが記憶される。また、電池２４は、制御部２０、および制御部２０に接続された各部（表示部１９、通信部２１、時計２２等）に電力を供給する。
【００２０】
さらに、制御部２０は、トランスミッタ３からの通信内容を解析するデバイス情報解析部２５と、通信部２１が受信した電波の電波強度（電波の大きさ）を判定する電波強度判定部２６と、トランスミッタ３に送信する各種コマンドを生成するコマンド生成部２７と、を有している。また、制御部２０には、使用者が入力を行うための入力部２８が接続されている。
【００２１】
なお、図４に示すように、トランスミッタ３において、制御部１０は、携帯電話８から送信されたコマンドを検出するコマンド検出部２９を有している。制御部１０には、人体６からセンサ７が外れたことを検出するセンサ外れ検知部３０が接続されている。
トランスミッタ３と携帯電話８は、通信部１１および通信部２１を介して、数メートル（例えば６メートル）の距離での通信が可能になっている。このため、トランスミッタ３と携帯電話８は、一般的な室内では、離れていても通信できる。
【００２２】
以下に、生体情報測定装置１の動作について説明する。
図２に示すように、使用者がベースユニット２に未使用のトランスミッタ３を装着すると、この装着動作によって、ベースユニット２側のセンサユニット４は、トランスミッタ３の測定部９（図４参照）に電気的に接続される。また、この装着動作によって、ベースユニット２の操作板１７が、図４の電源スイッチ１４を短絡することで、電源スイッチ１４はオン状態へ移行する。
【００２３】
電源スイッチ１４がオン状態に移行すると、図４に示すように、電池１３からスイッチ操作回路１６に対して電力が供給され、スイッチ操作回路１６が電源スイッチ１５を操作してオン状態へ移行させる。すると、電池１３から制御部１０に電力が供給されるので、トランスミッタ３が起動される（図６のＴ１）。
未使用のトランスミッタ３が起動すると、トランスミッタ３は携帯電話８との認証作業を行う。具体的には、トランスミッタ３は、相互認証（ペアリング）のため、携帯電話８に接続要求を送信する。携帯電話８は、トランスミッタ３の接続要求を受信する。この時、携帯電話８は、他の機器（例えば、キーボード、マウス、ヘッドホン、使用中または使用済みの他のトランスミッタ）からの接続要求も受信することがある。
【００２４】
従来の生体情報測定システムにおいては、携帯電話８は、図７に示すように、受信した接続要求に対応する機器を一覧表示する。そして、使用者に、相互認証を行う未使用のトランスミッタ３（図７における”センサ”）を選択させる。しかしながら、多くの機器が表示されると、この中から、使用者が未使用のトランスミッタ３を選択するのは難しかった。
【００２５】
そこで、本実施形態においては、未使用のトランスミッタ３と携帯電話８が自動的に相互認証できる構成とし、携帯電話８における使用者の選択動作を不要にした。
以下に詳細に説明する。
相互認証において、制御部１０は、通信部１１を介し、携帯電話８に対して接続要求を開始する。具体的には、携帯電話８にトランスミッタ３の新品情報を送信する（図６のＴ２、Ｔ３）。
【００２６】
新品情報は、このトランスミッタ３が未使用であることを示している。新品情報は、デバイス識別情報に含まれる。デバイス識別情報は、新品情報と共にトランスミッタ３の識別情報を保持している。デバイス識別情報は、記憶部１８に記憶される。
相互認証において、制御部１０は、新品情報が含まれたデバイス識別情報を送信する。
携帯電話８では、図８に示すように、表示部１９に、「新規接続」と表示されたボタンを表示し、使用者に未使用のトランスミッタ３を使用するか否かを問い合わせる。使用者が、「新規接続」ボタンを操作すると、携帯電話８はスキャン動作を開始して未使用のトランスミッタ３からの接続要求（デバイス識別情報）を受信する。（図７のＫ１、Ｋ２）。
【００２７】
次に、携帯電話８は、図９に示すように、「センサに近づけてください」と表示し、使用者に携帯電話８をトランスミッタ３に近づけるよう促す。
携帯電話８では、電波強度判定部２６が接続要求の電波強度（電波の最大値）が所定の第１の基準値よりも大きいか否かを判定する。そして、電波強度が所定の第１の基準値よりも大きい時には、携帯電話８がトランスミッタ３から所定の距離にあると判定する。
【００２８】
さらに、電波強度判定部２６は、繰り返し受信している接続要求の電波強度の変化量が所定の第２の基準値よりも大きいか否かを判定する。そして、電波強度の変化量が所定の第２の基準値よりも大きい時には、携帯電話８がトランスミッタ３に近づいていると判定する。
なお、第１の基準値、および第２の基準値は、予め記憶部２３に記憶されている。
【００２９】
さらに、電波強度判定部２６は、接続要求の電波のピーク値（電波強度の山の最も高い値）を検出する。そして、電波のピーク値を検出した時には、使用者により携帯電話８がトランスミッタ３に近づけられて、再び、遠ざけられたと判定する。そして、受信した複数の電波の電波強度から、電波強度のピークの大きさが最も大きい電波を判定する。具体的には、電波強度のピークの大きさが最も大きい機器を、携帯電話８が近づいたトランスミッタ３と判定する。
【００３０】
制御部２０は、少なくとも、「受信した電波の電波強度が所定の第１の基準値よりも大きい」、且つ、「受信した電波の電波強度の変化量が所定の第２の基準値よりも大きい」時に、電波を発信する機器を、携帯電話８に近い機器であり、携帯電話８が近づいた機器であると認識する。そして、この機器をトランスミッタ３と判断する。
なお、「電波強度のピークの大きさが最も大きい機器を検出する」ことにより、トランスミッタ３の検出精度を高めることができる。
【００３１】
制御部２０は、接続要求（デバイス識別情報）の電波によりトランスミッタ３を検出すると、デバイス情報解析部２５を用いてデバイス識別情報の解析を行う（図６のＫ３）。
デバイス情報解析部２５は、デバイス識別情報に新品情報が含まれているか否かを判定するする（図６のＫ４）。
デバイス情報解析部２５は、トランスミッタ３以外の機器のデバイス識別情報を検出した時には、この機器を「トランスミッタ３ではなく、たまたま携帯電話８が近づいた機器である」と判定する。制御部２０は、図７のＫ２に戻って、再び、接続要求のスキャンを開始する。
【００３２】
デバイス情報解析部２５がトランスミッタ３のデバイス識別情報を検出し、そのデバイス識別情報に新品情報が含まれていた時には、この機器を「未使用のトランスミッタ３である」と判定する。制御部２０は、図１０に示すように、「Ｓｅｎｓｏｒ０１を検出しました接続しますか」と表示して、使用者に検出したトランスミッタ３が正しいか否かを確認する。
【００３３】
使用者が、図１０の「いいえ」ボタンを操作すると、図７のＫ２に戻って、再び、接続要求のスキャンを開始する。
使用者が、図１０の「はい」ボタンを操作すると、制御部２０は、トランスミッタ３と相互認証を行う。なお、この相互認証は、一的に知られた相互認証の動作のため、詳細は省略する。相互認証が成功すると、トランスミッタ３と携帯電話８の接続が完了する。その後、トランスミッタ３と携帯電話８は、１対１の通信を行う（図６のＫ５、Ｋ６、Ｔ４）。
【００３４】
相互認証が成功すると、制御部２０は、図１１に示すように、「センサに接続しました」と表示し、使用者に、相互認証が完了した旨を伝える。その後、携帯電話８は、トランスミッタ３から５分毎に送信される測定値（血糖値）を受信し、測定結果を記憶部２３に順次格納する。測定値の受信は、時計２２を用いて測定期間（例えば、２週間）が経過するまで継続される（図６のＫ７）。
【００３５】
トランスミッタ３では、相互認証が成功した後に、制御部１０がデバイス識別情報から新品情報を削除する。そして、新品情報を削除したデバイス識別情報を記憶部１８に記憶する（図６のＴ５）。
その後、トランスミッタ３は、例えば、１分毎に血糖値（測定値の一例）を測定し、測定結果を記憶部１８に順次記憶する。そして、記憶部１８に記憶された血糖値を、例えば５分毎（第１の間隔の一例）に携帯電話８に送信する。このような測定処理および送信処理は、例えば２週間継続して実施される（図６のＴ６）。
【００３６】
以上説明したように、本実施形態においては、未使用のトランスミッタ３は、相互認証時には、携帯電話８に接続要求を送信すると共に、新品情報を送信する。
携帯電話８は、受け取った新品情報により、多数の機器の中から未使用のトランスミッタ３を選択する。
すなわち、携帯電話８が未使用のトランスミッタ３を選択できるので、使用者による選択動作が不要になり、使い勝手を向上させることができる。
【００３７】
また本実施形態においては、上述のごとく、トランスミッタ３の制御部１０は、相互認証が成功したときには、トランスミッタ３の新品情報を、記憶部２３から削除する。このため、トランスミッタ３が取り外された時には、この使用済みのトランスミッタ３が新しいトランスミッタ３と携帯電話８の認証作業を邪魔することがない。
以上説明したように、トランスミッタ３は携帯電話８との通信を確立する。そして、トランスミッタ３は所定の測定期間（例えば２週間）使用される。なお、実使用においては、測定期間中であっても、トランスミッタ３を交換したいという場合がある。
【００３８】
そこで、本実施形態においては、測定期間中におけるトランスミッタ３の交換に対応した。
以下に、詳細に説明する。
図１２は、トランスミッタ３と携帯電話８の動作フローチャートである。なお、以下の説明において、携帯電話８の制御部２０は、表示部１９に各種情報や各種操作ボタンを表示する。使用者は、入力部２８を用いて表示部１９の操作ボタンを操作する。
【００３９】
使用者が携帯電話８に表示された血糖値の測定画面（図１４参照）で「測定中止ボタン」を操作すると、制御部２０は、使用者に測定中止の確認を行わせるために、図１５に示すように、「測定を中止しますか」と表示する（図１２のＫ１、Ｋ２）。
使用者が図１５の「はい」ボタンを操作すると（図１２のＫ３）、制御部２０は、入力部２８を介して測定中止が入力されたと判断し、測定中止の動作を開始する。具体的には、図１６に示すように、「センサを剥がしてください」と表示させ、使用者に対して人体６に装着されたトランスミッタ３を剥離させる指示を行う。この指示を見た使用者は、「測定を中止するには、単にトランスミッタ３を人体６から剥がせば良い」と理解することができる（図１２のＫ４）。
【００４０】
使用者が、トランスミッタ３を人体６から剥がして、図１６の「剥がした」ボタンを操作すると、制御部２０は、図１７に示すように、「センサを手元に置いてしばらくお待ち下さい」と表示させる。制御部２０はスキャン動作を開始してトランスミッタ３からの接続要求を待ち受ける（図１２のＫ５）。
この時、トランスミッタ３の制御部１０は、測定部９の測定が実施される測定モードと、測定部９の測定が中止される測定中止モードとを有している。制御部１０には、センサ外れ検知部３０が接続されている。センサ外れ検知部３０は、例えば測定部９の測定値と基準値を比較し、基準値外の測定値を検出した時には、センサ７が人体６の所定位置から剥離したと判断する。センサ外れ検知部３０は、センサ７の剥離を制御部１０に通知する。通知を受けた制御部１０は、測定中止モードを実施する構成となっている。
【００４１】
使用者によりトランスミッタ３が剥がされた時に、トランスミッタ３では、測定モードにおいて１分毎に測定が行われており、トランスミッタ３の制御部１０は次の測定タイミングまで待機している（図１２のＴ１）。
制御部１０は、測定タイミングが来ると、測定部９を用いて測定を行って測定結果を記憶部１８に記憶する。さらに制御部１０は、センサ外れ検知部３０を用いてセンサ７の人体６からの剥がれを検出する（図１２のＴ２）。
【００４２】
制御部１０は、センサ７の剥離がない（つまり、トランスミッタ３は人体６に装着されている）と判断した時は、測定モードを継続する。すなわち、この測定タイミングが５分毎の通信タイミングかどうかを確認し、通信タイミングの時には、記憶部１８に記憶された血糖値を携帯電話８に送信する。その後、図１２のＴ１に戻って測定モードを継続する（図１２のＴ３、Ｔ４）。
【００４３】
図１２のＴ３で、制御部１０が、センサ７が剥離したと判断した時は、人体６に装着されたトランスミッタ３が所定位置から剥離されたと判断する。すなわち、携帯電話８の剥離指示を見た使用者がトランスミッタ３を人体６から剥がした時には、トランスミッタ３では、センサ７の剥離検出により、人体６に装着されたトランスミッタ３が剥離されたことを検出するのである。
【００４４】
制御部１０は、センサ７の剥離を検出すると、測定中止モードを開始する。測定中止モードでは、制御部１０は、通信部１１を用いて携帯電話８に接続要求を送信する（図１２のＴ５）。
携帯電話８では、トランスミッタ３からの接続要求を受信すると、トランスミッタ３との接続を確立する（図１２のＫ６、Ｋ７、Ｔ６）。そして、トランスミッタ３からの送信を待ち受ける。
【００４５】
トランスミッタ３では、携帯電話８との接続が確立すると、センサ７が所定位置から外れたことを示すセンサ外れエラーを携帯電話８に送信する（図１３のＴ７）。その後、記憶部１８の未送信の全ての測定値を携帯電話８に送信する（図１３のＴ８）。
携帯電話８の制御部２０は、センサ外れエラーを受信すると（図１３のＫ８）、トランスミッタ３が測定中止モードを実施していると判断する。そして、制御部２０は、トランスミッタ３から送られてくる未送信の測定値を取得すると共に、図１９に示すように、その取得状況を表示する（図１３のＫ９）。制御部２０は、全ての測定値を受け取ると、トランスミッタ３に測定完了通知を送信する（図１３のＫ１０）。
【００４６】
トランスミッタ３の制御部１０は、携帯電話８からの測定完了通知を受信すると、所定の測定終了処理を行って使用済み状態となる（図１３のＴ９、Ｔ１０）。
そして、携帯電話８は「新しいセンサを使用しますか」（図２０参照）と表示して、使用者に新しいトランスミッタ３に交換するか否かの確認を行う（図２０のＫ１１）。使用者は、図２０の「Ｙｅｓ」ボタンを操作して、新しいトランスミッタ３に交換する。
【００４７】
以上説明したように、本実施形態においては、使用者が測定期間中にトランスミッタ３を交換したい時には、使用者が携帯電話８の入力部２８を介して測定中止を入力すれば、人体に装着されたトランスミッタ３を剥離させる指示が携帯電話８の表示部１９に表示される。
この指示を見た使用者がトランスミッタ３を人体から剥がすと、トランスミッタ３はセンサ外れ検知部３０がセンサ７の剥離を検出して測定中止モードを実施する。
【００４８】
すなわち、使用者は、携帯電話８を用いて都合の良い時にトランスミッタ３の測定を中止できるので、その後に、トランスミッタ３の交換ができる。
その結果として、生体情報測定システムの使い勝手を向上させることができる。
なお、上述のごとく、使用者がトランスミッタ３を人体６から引き剥がし、図１６の「剥がした」ボタンを操作すると、制御部２０はスキャン動作を開始してトランスミッタ３からの接続要求を待ち受ける（図１２のＫ５、Ｋ６）。
【００４９】
この時、トランスミッタ３からの接続要求が所定時間受信できない時（タイムアウト時）には、制御部１０は、剥がしたトランスミッタ３が外部機器の近傍にあるか否かを確認する旨を表示部１９に表示する（図１２のＫ１２、Ｋ１３）。具体的には、図１８に示すように「センサを剥がして、手元に置いていますか？」と表示する。この表示を見た使用者がトランスミッタ３を手元に置くと、トランスミッタ３は携帯電話８に接近する。これにより、携帯電話８はトランスミッタ３の接続要求を適切に受信できる。
【産業上の利用可能性】
【００５０】
本発明は、例えば、持続血糖測定を行う生体情報測定装置およびこれを備えた生体情報測定システムとして活用が期待される。
【符号の説明】
【００５１】
１        生体情報測定装置
１Ａ      生体情報測定システム
２        ベースユニット
３        トランスミッタ
４        センサユニット
５        センサ挿入装置
６        人体
７        センサ
８        携帯電話
９        測定部
１０      制御部（第１の制御部）
１１      通信部（第１の通信部）
１２      時計
１３      電池（電源部の一例）
１４      電源スイッチ
１５      電源スイッチ
１６      スイッチ操作回路
１７      操作板
１８      記憶部（第１の記憶部）
１９      表示部
２０      制御部
２１      通信部（第２の通信部）
２２      時計
２３      記憶部（第２の記憶部）
２４      電池
２５      デバイス情報解析部
２６      電波強度判定部
２７      コマンド生成部
２８      入力部
２９      コマンド検出部
３０      センサ外れ検知部
【図１】
2020036814.tif 000003
【図２】
2020036814.tif 000004
【図３】
2020036814.tif 000005
【図４】
2020036814.tif 000006
【図５】
2020036814.tif 000007
【図６】
2020036814.tif 000008
【図７】
2020036814.tif 000009
【図８】
2020036814.tif 000010
【図９】
2020036814.tif 000011
【図１０】
2020036814.tif 000012
【図１１】
2020036814.tif 000013
【図１２】
2020036814.tif 000014
【図１３】
2020036814.tif 000015
【図１４】
2020036814.tif 000016
【図１５】
2020036814.tif 000017
【図１６】
2020036814.tif 000018
【図１７】
2020036814.tif 000019
【図１８】
2020036814.tif 000020
【図１９】
2020036814.tif 000021
【図２０】
2020036814.tif 000022